(57)【要約】【課題】改修したベランダを使用する居住者に実質的な安全性と安心感を与えると共に、改修工事で使用する資材の施工現場での加工を少なくして、工事を簡単に且つ短時間で行うことができるベランダ手摺を提供すること。【解決手段】改修されたベランダ手摺は、ベランダＶにおける立上がり壁Ｒの先端縦面Ｗに間隔をおいて後側面下部を固着された複数の支柱１と、各支柱に上下方向調節可能に止着された複数の後向きブラケット１６と、各後向きブラケットに前後左右方向調節可能に止着されて支持され改修前の旧手摺が設置されていた立上がり壁上面Ｕに位置する手摺構成材２とよりなる。【選択図】図１
2006152705.tif 000002
【特許請求の範囲】
【請求項１】
ベランダにおける立上がり壁の先端縦面に間隔をおいて後側面下部を固着された複数の支柱と、各該支柱に上下方向調節可能に止着された複数の後向きブラケットと、各該後向きブラケットに前後左右方向調節可能に止着されて支持され該立上がり壁上に位置する手摺構成材とよりなるベランダ手摺。
【請求項２】
前記支柱は、両横側面に止着ボルトのボルト頭を抜出し不可に嵌合する対向突縁付き凹溝が縦設された横断面略方形をなし、前記後向きブラケットは、長さ調節手段を有し、該支柱に対して該後向きブラケットの高さ位置を確定して該止着ボルトにより該支柱と該後向きブラケットの前部がボルト接合されると共に、該長さ調節手段により該後向きブラケットによって該支柱と前記手摺構成材との前後方向位置を確定して該後向きブラケットの後部が該手摺構成材に接合されることを特徴とする請求項１記載のベランダ手摺。
【請求項３】
前記後向きブラケットは、前記支柱の両横側面に当接すると共に前記止着ボルトを挿通する止着ボルト挿通孔を備えた両フランジと該両フランジの後方を略水平に連結する水平ウェブとを有する主片と、一端が該主片に連結されると共に他端には前記手摺構成材における横架材への接合手段を備えた補助片とよりなり、該主片の該水平ウェブと該補助片の一端とのいずれか一方には前後方向に延びる接続ボルト挿通溝孔が穿設されると共に他方には接続ボルト挿通孔が穿設され、該後向きブラケットの該主片と該補助片を重ね合せると共に該接続ボルト挿通溝孔と該接続ボルト挿通孔に接続ボルトを挿通してボルト接合することにより該支柱と該手摺構成材との前後方向位置を確定することを特徴とする請求項２記載のベランダ手摺。
【請求項４】
前記横架材には、該手摺構成材の笠木のみを支持する笠木支持横架材が含まれることを特徴とする請求項３記載のベランダ手摺。
【請求項５】
前記支柱は、両横側面に締着ボルトのボルト頭を抜出し不可に嵌合する対向突縁付き凹溝が縦設された横断面略方形をなし、前記ベランダにおける立上がり壁の先端縦面にその各一突縁を固定縁として固定される一対のＬ字状金具は、その各他突縁を該支柱の各横側面に当接される当接縁とされ、該当接縁には前後方向に延びる締着ボルト挿通溝孔が穿設されると共に該当接縁の該支柱に当接する面の反対面には縦方向の凹凸溝面が形成され、該Ｌ字状金具の該当接縁に該締着ボルトのボルト接合により密着される一対の係着座金には該締着ボルトを挿通する締着ボルト挿通孔が穿設されると共に内面には該当接縁の該凹凸溝面に係合する対応凹凸溝面が形成され、該立上がり壁の先端縦面と該支柱との間隔を設定すると共に該Ｌ字状金具に対する該支柱の高さ位置を設定した状態で該締着ボルトのボルト接合によって、該立上がり壁の先端縦面と該支柱との位置関係を調節自在に固定されること特徴とする請求項２記載のベランダ手摺。
【発明の詳細な説明】
【技術分野】
【０００１】
本発明は、集合住宅等のベランダに設置されるベランダ手摺、特に改修時に設置されるベランダ手摺に関する。
【背景技術】
【０００２】
集合住宅等の老朽化したベランダ手摺の改修には、ベランダの立上がり壁上面に立設されている既設の手摺を取除き、新規な手摺を立設するために手摺支柱の基部を埋込む孔をベランダの立上がり壁上面に穿設して支柱基部を埋込む工事が考えられる。しかしこのような工事は大がかりとなると共に工事費も高額となるので採用することはかなりの困難が伴う。そこで支柱をベランダ立上がり壁の外面に外付けする方法が従来採用されている（例えば、特許文献１参照。）。しかし従来の外付け方法では、立上がり壁外面に外付けされた支柱列間に手摺が設置されるために、手摺の位置はベランダの立上がり壁より外面に位置することになり、居住者が危険を感じることや、外付け支柱列の間隔を正確に施工しないと、その間隔内に設置される手摺構成材の寸法合せに手間がかかり、結果として余分な時間と費用が掛ることになる欠点を有する。
【０００３】
【特許文献１】特許第２９８１９８２号公報
【発明の開示】
【発明が解決しようとする課題】
【０００４】
本発明が解決しようとする問題点は、従来の外付け手摺支柱を有するベランダ手摺が引き起す欠点を改良し、ベランダを使用する居住者に実質的な安全性と安心感を与えると共に、改修工事で使用する資材の施工現場での加工を少なくして、工事を簡単に且つ短時間で行うことができるベランダ手摺を提供することにある。
【課題を解決するための手段】
【０００５】
前記課題を解決するために、本発明にかかるベランダ手摺では、ベランダにおける立上がり壁の先端縦面に間隔をおいて後側面下部を固着された複数の支柱に対して、各該支柱に上下位置調節可能に複数の後向きブラケットを止着し、手摺構成材は各該後向きブラケットに接合支持されることによって該手摺構成材は該立上がり壁上に位置するようにしたものである。
【発明の効果】
【０００６】
本発明は、次のような効果を奏する。
Ａ．改修される手摺構成材を支持する支柱はベランダにおける立上がり壁先端縦面に固着されるのに拘らず、笠木を含む手摺構成材は改修前に既設の手摺が位置していた立上がり壁上に位置するため、ベランダを使用する居住者に実質的な安全性と安心感を与える。
Ｂ．改修工事はベランダにおける立上がり壁上面に既設の手摺が設置された状態で、改修される支柱を立上がり壁の先端縦面に固着させ、その後既設の手摺を取除いた状態で、簡単で短時間しか必要としない手摺構成材取付作業を行うことになるので、手摺が存在しない工事時間を最小限にすることが可能となり、居住者の居住中に工事を行っても、安全に施工することができる。
Ｃ．支柱を、両横側面に止着ボルトや締着ボルトのボルト頭を抜出し不可に嵌合する対向突縁付き凹溝が縦設された横断面略方形をなすものとしたから、止着ボルトや締着ボルトの支柱への取付のためのボルト孔を一々穿孔する必要がなく施工を容易にすると共に、後向きブラケットの高さ位置やＬ字状金具に対する高さ位置を微細に調節設定することができる。
Ｄ．手摺構成材を上下方向且つ前後左右方向調節自在に後向きブラケットによって支柱に取付けることができるから、ベランダにおける立上がり壁先端縦面への支柱固着位置の選択範囲を広範とすることが可能な上に、固着位置の誤差範囲を広く取ることが可能であるから、改修の際に最も困難である支柱の立上がり壁への固着作業を容易に行うことができる。
Ｅ．手摺構成材を上下方向且つ前後左右方向調節自在に後向きブラケットによって支柱に取付けることができるから、安価な既成品の手摺構成材を幅広く採用することが可能である。
Ｆ．手摺構成材の使用後の破損等による手摺構成材の交換は、ブラケット箇所から手摺構成材を取外しまた取付けることによって容易に行うことができる。
【発明を実施するための最良の形態】
【０００７】
本発明にかかるベランダ手摺は、ベランダにおける立上がり壁の先端縦面に間隔をおいて後側面下部を固着された複数の支柱と、各該支柱に上下方向調節可能に止着された複数の後向きブラケットと、各該後向きブラケットに前後左右方向調節可能に止着されて支持され該立上がり壁上に位置する手摺構成材とよりなることを主な特徴とする。
【０００８】
またより具体的な支柱を備えたベランダ手摺の態様として、前記支柱は、両横側面に止着ボルトのボルト頭を抜出し不可に嵌合する対向突縁付き凹溝が縦設された横断面略方形をなし、前記後向きブラケットは、長さ調節手段を有し、該支柱に対して該後向きブラケットの高さ位置を確定して該止着ボルトにより該支柱と該後向きブラケットの前部がボルト接合されると共に、該長さ調節手段により該後向きブラケットによって該支柱と前記手摺構成材との前後方向位置を確定して該後向きブラケットの後部が該手摺構成材に接合されることを特徴とする。
【０００９】
さらにより具体的な後向きブラケットを備えたベランダ手摺の態様として、前記後向きブラケットは、前記支柱の両横側面に当接すると共に前記止着ボルトを挿通する止着ボルト挿通孔を備えた両フランジと該両フランジの後方を略水平に連結する水平ウェブとを有する主片と、一端が該主片に連結されると共に他端には前記手摺構成材における横架材への接合手段を備えた補助片とよりなり、該主片の該水平ウェブと該補助片の一端とのいずれか一方には前後方向に延びる接続ボルト挿通溝孔が穿設されると共に他方には接続ボルト挿通孔が穿設され、該後向きブラケットの該主片と該補助片を重ね合せると共に該接続ボルト挿通溝孔と該接続ボルト挿通孔に接続ボルトを挿通してボルト接合することにより該支柱と該手摺構成材との前後方向位置を確定することを特徴とする。
【００１０】
また前記横架材の特別な例として、前記横架材には、該手摺構成材の笠木のみを支持する笠木支持横架材が含まれることを特徴とする。
【００１１】
さらに支柱のベランダへの取付手段の態様として、前記支柱は、両横側面に締着ボルトのボルト頭を抜出し不可に嵌合する対向突縁付き凹溝が縦設された横断面略方形をなし、前記ベランダにおける立上がり壁の先端縦面にその各一突縁を固定縁として固定される一対のＬ字状金具は、その各他突縁を該支柱の各横側面に当接される当接縁とされ、該当接縁には前後方向に延びる締着ボルト挿通溝孔が穿設されると共に該当接縁の該支柱に当接する面の反対面には縦方向の凹凸溝面が形成され、該Ｌ字状金具の該当接縁に該締着ボルトのボルト接合により密着される一対の係着座金には該締着ボルトを挿通する締着ボルト挿通孔が穿設されると共に内面には該当接縁の該凹凸溝面に係合する対応凹凸溝面が形成され、該立上がり壁の先端縦面と該支柱との間隔を設定すると共に、該Ｌ字状金具に対する該支柱の高さ位置を設定した状態で該締着ボルトのボルト接合によって、該立上がり壁の先端縦面と該支柱との位置関係を調節自在に固定されること特徴とする。
【実施例】
【００１２】
本発明の実施例について添付図面を参照して説明する。
図１乃至図３には改修後のベランダ手摺が示されている。集合住宅等のベランダＶの前端には立上がり壁Ｒが立設されており、符号Ｕは立上がり壁Ｒの上面を、また符号Ｗは立上がり壁Ｒの先端縦面を示している。図中符号１は手摺構成材２を支持する支柱を示す。通常手摺とは、支柱と、支柱に支持される格子やパネルを内包する枠とを含むものであるが、本発明において手摺構成材２とは、支柱１を含まず、支柱１に支持される格子やパネルを内包する枠や横架材等を意味する。この実施例における支柱１は、図３乃至図５等に示されるように、両横側面にボルト頭を抜出し不可に嵌合することができる対向突縁付き凹溝３，３が縦設された横断面略方形をなすアルミニウム等の金属製型材で形成されている。
【００１３】
支柱１は、図１、図２、図５に示されるように、立上がり壁Ｒに添って所定間隔で列設される。支柱１の設置には、まず立上がり壁Ｒの先端縦面Ｗに対して一対のＬ字状金具４，４の各一突縁である固定縁５をアンカー挿通溝孔６に挿通したアンカーボルト７のボルト接合により固定されるが、その各他突縁であるそれぞれの当接縁８が支柱１の両横側面に当接されるように配置固定される。当接縁８には、締着ボルト９を挿通する前後方向に延びる締着ボルト挿通溝孔１０が穿設されると共に当接縁８の支柱１の当接する面の反対面には縦方向の凹凸溝面１１が形成されており、またこのＬ字状金具４の当接縁８に重ね合わされる係着座金１２には締着ボルト９を挿通する締着ボルト挿通孔１３が穿設されると共に内面には当接縁８の凹凸溝面１１に係合する対応凹凸溝面１４が形成されている。そして支柱１は立上がり壁Ｒの先端縦面Ｗからの間隔を設定した後に、支柱１の対向突縁付き凹溝３にそのボルト頭が嵌合された各締着ボルト９について、Ｌ字状金具４における当接縁８の締着ボルト挿通溝孔１０および係着座金１２の締着ボルト挿通孔１３を挿通させて締着ボルト用ナット１５を締付けることによりボルト接合すれば、当接縁８の凹凸溝面１１と係着座金１２の対応凹凸溝面１４とが噛み合うことにより、支柱１は立上がり壁Ｒの先端縦面Ｗからの距離を固定した状態で維持されることになる。締着ボルト９は支柱１毎に４本使用される。
【００１４】
立上がり壁Ｒの先端縦面Ｗに後側部下部を固着された複数の各支柱１の上方には、図１乃至及び図４に示されるように、立上がり壁Ｒの上面Ｕ上に位置し手摺構成材２を支持する後向きブラケット１６が取付けられる。後向きブラケット１６は、支柱１の両横側面に当接すると共に支柱１の対向突縁付き凹溝３にそのボルト頭が嵌合された各止着ボルト１７を挿通する止着ボルト挿通孔１８を備えた両フランジ１９と両フランジ１９の後方を略水平に連結すると共に前後方向に延びる接続ボルト挿通溝孔２０を備えた水平ウェブ２１とを有する主片１６ａと、一端には接続ボルト挿通孔２２を備えて主片１６ａの接続ボルト挿通溝孔２０を通じて接続ボルト２３によりボルト接合されると共に他端には手摺構成材２における横架材を接合する接合手段の舌片２５を備えた補助片１６ｂとよりなり、図４に詳細が示されるように、接合手段の舌片２５に手摺構成材２の横架材を固定する補助片１６ｂを主片１６ａの位置に配設し、主片１６ａに対して手摺構成材２の前後方向位置を確定した上で補助片１６ｂの接続ボルト挿通孔２２と主片１６ａの接続ボルト挿通溝孔２０を通じて接続ボルト２３にナットを締付けることによってボルト接合を行う。なお主片１６ａに対して手摺構成材２の前後方向位置を確定する作業は、後向きブラケット１６に手摺構成材２を取付けた後に行うことが可能である。そして上方の横架材に対しては水平ウェブ２１を上側に向けて、また下方の横架材に対しては水平ウェブ２１を下側に向けて支柱１に両フランジ１９を当接し、支柱１に対して主片１６ａの高さ位置を確定した上で支柱１の対向突縁付き凹溝３にそのボルト頭が嵌合された止着ボルト１７について、主片１６ａにおける止着ボルト挿通孔１８を挿通させて止着ボルト用ナット２６を締付けることによりボルト接合をする。なお接続ボルト挿通孔２２を主片１６ａに形成し、接続ボルト挿通溝孔２０を補助片１６ｂに形成する態様も存在する。
【００１５】
その後で補助片１６ｂの接合手段に手摺構成材２における横架材が接合される。接合は一般的な方法で行われるが横架材のいくつかの例を図６乃至図９に示す。図６では、補助片１６ｂに取付けられた手摺構成材２における横架材が、笠木２７を取付けた上側横架材２４ａである状態を示されている。上側横架材２４ａには縦桟材２８の上端も取付けられている。図７は、補助片１６ｂに取付けられた手摺構成材２における横架材が、縦桟材２８の下端を支持する補助横材を含む下側横架材２４ｂであることを示している。また図８は、笠木２７が取付けられると共にパネル２９の枠を含む上側横架材２４ａが補助片１６ｂに接合されている状態を示している。さらに図９では、手摺のパネル２９の枠を支持する補助横材を含む上側横架材２４ａには笠木２７が取付けられておらず、別体の後向きブラケット１６が笠木２７を取付けた笠木支持横架材２４ｃを支持する状態が示されている。このように後向きブラケット１６には、各種の手摺構成材２に対応することが可能である。また後向きブラケット１６について、主片１６ａと補助片１６ｂとを連結した後向きブラケット１６全体を予め支柱１に取付けておく場合や、予め主片１６ａのみを支柱１に取付けておいて後から手摺構成材２を接合した補助片１６ｂを連結する場合がある。
【００１６】
図１０には、ベランダの立上がり壁上面に立設されている既設の手摺に代えて、本発明にかかるベランダ手摺を設置する工程が示される。左端の（イ）は、既設の手摺ＰがベランダＶの立上がり壁Ｒにおける上面Ｕに設置されている状態を示している。次に（ロ）には、既設の手摺Ｐをそのままにして、本発明にかかるベランダ手摺における後向きブラケット１６を取付けた支柱１を立上がり壁Ｒの先端縦面Ｗに固着した状態が示されている。次に（ハ）には、既設の手摺Ｐが取外された状態が示され、さらに（ニ）は、後向きブラケット１６に手摺構成材２が既設の手摺Ｐの位置に取付けられて、本発明にかかるベランダ手摺が完成した状態を示している。本発明によれば、改修される手摺構成材２を支持する支柱１はベランダＶにおける立上がり壁Ｒの先端縦面Ｗに固着されるのに拘らず、笠木２７を含む手摺構成材２は改修前に既設の手摺が位置していた立上がり壁Ｒの上面Ｕに位置するため、ベランダＶを使用する居住者に実質的な安全性と安心感を与えることができる。また改修工事は、ベランダＶにおける立上がり壁Ｒの上面Ｕに既設の手摺Ｐが設置された状態で、改修される支柱１を立上がり壁Ｒの先端縦面Ｗに固着させ、その後既設の手摺Ｐを取除いた状態で、簡単で短時間しか必要としない手摺構成材２の取付作業を行うことになるので、手摺が存在しない工事時間を最小限にすることが可能となり、居住者の居住中に工事を行っても、安全に施工することができる。
【００１７】
さらに手摺構成材２を上下方向且つ前後左右方向調節自在に後向きブラケット１６によって支柱１に取付けることができるから、ベランダＶにおける立上がり壁Ｒの先端縦面Ｗへの支柱固着位置の選択範囲を広範とすることが可能な上に、固着位置の誤差範囲を広く取ることが可能であるから、改修の際に最も困難である支柱１の立上がり壁Ｒへの固着作業を容易に行うことができる。また支柱１を、両横側面に止着ボルト１７や締着ボルト９のボルト頭を抜出し不可に嵌合する対向突縁付き凹溝３が縦設された横断面略方形をなすものとしたから、止着ボルト１７や締着ボルト９の支柱１への取付のためのボルト孔を一々穿孔する必要がなく施工を容易にすると共に、後向きブラケット１６の高さ位置やＬ字状金具４に対する高さ位置を微細に調節設定することができる。さらに手摺構成材２を上下方向且つ前後左右方向調節自在に後向きブラケット１６によって支柱１に取付けることができるから、安価な既成品の手摺構成材２を幅広く採用することが可能である。また手摺構成材２の使用後の破損等による手摺構成材２の交換は、後向きブラケット１６の箇所から手摺構成材２を取外しまた取付けることによって容易に行うことができる。
【図面の簡単な説明】
【００１８】
【図１】改修後のベランダ手摺を示す斜視図である。
【図２】改修後のベランダ手摺を示す側面図である。
【図３】改修後のベランダ手摺を示す横断面図である。
【図４】支柱と後向きブラケットと手摺構成材を示す分解斜視図である。
【図５】支柱のベランダへの取付部品を示す分解斜視図である。
【図６】後向きブラケットと笠木が装着された上側横架材との接続部を示す部分側面図である。
【図７】後向きブラケットと下側横架材との接続部を示す部分側面図である。
【図８】後向きブラケットとパネルを支持する上側横架材との接続部を示す部分側面図である。
【図９】上側横架材支持とは別の後向きブラケットと笠木支持横架材との接続部を示す部分側面図である。
【図１０】ベランダ手摺の改修工程を示す説明図である。
【符号の説明】
【００１９】
１  支柱
２  手摺構成材
３  対向突縁付き凹溝
４  Ｌ字状金具
５  固定縁
８  当接縁
９  締着ボルト
１０  締着ボルト挿通溝孔
１１  凹凸溝面
１２  係着座金
１３  締着ボルト挿通孔
１４  対応凹凸溝面
１６  後向きブラケット
１６ａ  主片
１６ｂ  補助片
１７  止着ボルト
１８  止着ボルト挿通孔
１９  両フランジ
２０  接続ボルト挿通溝孔
２１  水平ウェブ
２２  接続ボルト挿通孔
２３  接続ボルト
２４ａ  上側横架材
２４ｂ  下側横架材
２４ｃ  笠木支持横架材
Ｖ  ベランダ
Ｒ  立上がり壁
Ｕ  上面
Ｗ  先端縦面
【図１】
2006152705.tif 000003
【図２】
2006152705.tif 000004
【図３】
2006152705.tif 000005
【図４】
2006152705.tif 000006
【図５】
2006152705.tif 000007
【図６】
2006152705.tif 000008
【図７】
2006152705.tif 000009
【図８】
2006152705.tif 000010
【図９】
2006152705.tif 000011
【図１０】
2006152705.tif 000012